(57)【要約】基板を加工する加工装置であって、前記基板を吸着保持する基板保持面を有する基板保持部と、前記基板保持面の外縁部を洗浄する外縁洗浄部を備える。または、前記加工装置を用いた基板の裏面を加工する加工方法であって、基板保持部の基板保持面で前記基板の表面を吸着保持した状態で、前記基板の裏面を加工することと、前記基板保持面の外縁部を洗浄することと、を含む。
2020153219.tif 000002
【特許請求の範囲】
【請求項１】
基板を加工する加工装置であって、
前記基板を吸着保持する基板保持面を有する基板保持部と、
前記基板保持面の外縁部を洗浄する外縁洗浄部を備える、加工装置。
【請求項２】
前記基板保持部を水平方向に回転させる回転機構を更に備える、請求項１に記載の加工装置。
【請求項３】
前記外縁洗浄部は前記基板保持部の上方に設けられる第１の外縁洗浄部を備え、
前記第１の外縁洗浄部は、少なくとも、前記外縁部に当接することにより洗浄を行う洗浄用ブラシ、または前記外縁部に流体を供給することにより洗浄を行うノズルを有する、請求項１または２に記載の加工装置。
【請求項４】
前記基板の搬入出を行う搬入出領域と、
前記基板の加工を行う加工領域と、を有し、
前記基板保持部は、前記搬入出領域と前記加工領域との間で移動自在に構成され、
前記搬入出領域は、
前記第１の外縁洗浄部と、
前記基板保持部の全面を洗浄する保持部全面洗浄部と、を備える、請求項３に記載の加工装置。
【請求項５】
前記基板の搬入出を行う搬入出領域と、
前記基板の加工を行う加工領域と、を有し、
前記基板保持部は、前記搬入出領域と前記加工領域との間で移動自在に構成され、
前記搬入出領域は、
前記第１の外縁洗浄部と、
前記基板の全面を洗浄する全面洗浄部と、を備える、請求項３または４に記載の加工装置。
【請求項６】
前記外縁洗浄部は前記外縁部の径方向外側に設けられる第２の外縁洗浄部を備え、
前記第２の外縁洗浄部は、前記外縁部に流体を供給することにより洗浄を行うノズルを有する、請求項１〜５のいずれか一項に記載の加工装置。
【請求項７】
前記第２の外縁洗浄部は、前記基板保持面の接線方向へ流体を供給する、請求項６に記載の加工装置。
【請求項８】
前記第２の外縁洗浄部が複数設けられる、請求項６または７に記載の加工装置。
【請求項９】
前記基板の搬入出を行う搬入出領域と、
前記基板の加工を行う加工領域と、を有し、
前記基板保持部は、前記搬入出領域と前記加工領域との間で移動可能に構成され、
前記加工領域は、
前記第２の外縁洗浄部と、
前記基板保持部に保持された前記基板に洗浄液を供給する洗浄液供給部と、を備える、請求項６〜８のいずれか一項に記載の加工装置。
【請求項１０】
前記基板の周縁部にはノッチが形成され、
前記基板保持面には、前記基板保持部に前記基板を保持した際に、平面視において前記ノッチと対応する位置に切欠きが形成される、請求項１〜９のいずれか一項に記載の加工装置。
【請求項１１】
前記基板の周縁部にはノッチが形成され、
前記外縁洗浄部は、前記基板保持面の外縁部のうち前記ノッチに対応する部分の洗浄を行う、請求項１〜１０のいずれか一項に記載の加工装置。
【請求項１２】
前記基板の円周方向の位置を調節する位置調節部と、
前記位置調節部の動作を制御する制御部と、を備え、
前記基板の周縁部にはノッチが形成され、
前記制御部は、複数の前記基板のうち、一の前記基板に形成された前記ノッチの位置と、次に加工される前記基板に形成された前記ノッチの位置とが、前記基板保持面において平面視で重ならないように、前記基板の円周方向の位置を制御する、請求項１〜９のいずれか一項に記載の加工装置。
【請求項１３】
基板を加工する加工方法であって、
基板保持部の基板保持面で前記基板を吸着保持した状態で前記基板を加工することと、
前記基板保持面の外縁部を洗浄することと、を含む、加工方法。
【請求項１４】
前記基板保持部に保持された前記基板が搬出された後、当該基板保持部の全面と前記基板保持面の外縁部とを洗浄することを更に含む、請求項１３に記載の加工方法。
【請求項１５】
前記基板保持面の外縁部の洗浄は、前記基板保持部の上方に設けられる第１の外縁洗浄部により行われる、請求項１４に記載の加工方法。
【請求項１６】
前記基板の加工、および前記第１の外縁洗浄部による前記基板保持面の外縁部の洗浄は同時に行われる、請求項１５に記載の加工方法。
【請求項１７】
前記基板保持面の外縁部の洗浄は、前記外縁部の径方向外側に設けられる第２の外縁洗浄部により行われ、
前記第２の外縁洗浄部による前記基板保持面の外縁部の洗浄は、前記基板保持部の全面の洗浄と同時に行われる、請求項１４〜１６のいずれか一項に記載の加工方法。
【請求項１８】
前記基板の周縁部にはノッチが形成され、
前記基板保持部は、平面視において前記基板保持面に形成された切欠きと前記ノッチとが対応するように、前記基板を保持する、請求項１３〜１７のいずれか一項に記載の加工方法。
【請求項１９】
前記基板の周縁部にはノッチが形成され、
前記基板保持面の外縁部の洗浄においては、前記外縁部のうち前記ノッチに対応する部分の洗浄が行われる、請求項１３〜１８のいずれか一項に記載の加工方法。
【請求項２０】
前記基板の円周方向の位置を調節することを含み、
前記基板の周縁部にはノッチが形成され、
複数の前記基板に対してそれぞれ行われる前記加工において、前記ノッチが基板保持面において平面視でそれぞれ重ならないように、前記基板の円周方向の位置を調節する、請求項１３〜１７のいずれか一項に記載の加工方法。
【発明の詳細な説明】
【技術分野】
【０００１】
本開示は、加工装置及び加工方法に関する。
【背景技術】
【０００２】
特許文献１には、板状ワークを吸引保持する保持面となる保持部と、保持部を支持するベース部と、該ベース部の上面のうち保持部の外周側に形成された水封面と、を備えるチャックテーブルが開示されている。該チャックテーブルは、保持部に吸引保持される板状ワークの下面と水封面との間に水を供給することにより水封部を形成し、これにより加工屑を含んだ加工水が板状ワークの下面に浸入するのを防いでいる。
【先行技術文献】
【特許文献】
【０００３】
【特許文献１】特開２０１３−２１５８６８号公報
【発明の概要】
【発明が解決しようとする課題】
【０００４】
本開示にかかる技術は、基板保持面上に堆積する研削屑を適切に除去し、加工後の基板の厚みの面内均一性を向上させる。
【課題を解決するための手段】
【０００５】
本開示の一態様は、基板を加工する加工装置であって、前記基板を吸着保持する基板保持面を有する基板保持部と、前記基板保持面の外縁部を洗浄する外縁洗浄部を備える。
【発明の効果】
【０００６】
本開示によれば、基板保持面上に堆積する研削屑を適切に除去し、加工後の基板の厚みの面内均一性を向上させることができる。
【図面の簡単な説明】
【０００７】
【図１】加工装置において加工されるウェハの構成の概略を模式的に示す（ａ）側面図（ｂ）平面図である。
【図２】加工装置におけるＴＴＶ悪化の原因を説明する説明図である。
【図３】加工装置におけるＴＴＶ悪化の原因を説明する説明図である。
【図４】本実施形態にかかる加工装置の構成の概略を模式的に示す平面図である。
【図５】基板保持部の構成の概略を模式的に示す平面図である。
【図６】基板保持部の構成の概略を模式的に示す断面図である。
【図７】基板保持部の構成の概略を模式的に示す斜視図である。
【図８】本実施形態にかかる加工処理の主な工程を示すフロー図である。
【図９】第２の外縁洗浄ユニットによる洗浄方法の一例を示す説明図である。
【図１０】基板保持部の他の構成の概略を模式的に示す斜視図である。
【図１１】加工装置におけるＴＴＶ悪化の原因を説明する説明図である。
【図１２】他の実施形態にかかる基板保持部の構成の概略を模式的に示す（ａ）斜視図（ｂ）要部拡大図である。
【図１３】他の実施形態にかかる基板保持部の他の構成の概略を模式的に示す斜視図である。
【図１４】他の実施形態にかかる加工方法におけるウェハの保持方法を模式的に示す説明図である。
【発明を実施するための形態】
【０００８】
半導体デバイスの製造工程においては、表面に複数の電子回路等のデバイスが形成された基板としての半導体ウェハ（以下、ウェハという）に対し、当該ウェハの裏面を研削加工して、ウェハを薄化することが行われている。
【０００９】
図１は、後述の加工装置１において加工されるウェハＷの構成の一例を模式的に示す説明図であり、（ａ）は側面図、（ｂ）は平面図である。ウェハＷは、例えばシリコンウェハや化合物半導体ウェハなどの半導体ウェハであり、表面Ｗａにはデバイス（図示せず）が形成されている。
【００１０】
図１（ａ）に示すように、ウェハＷの周縁部Ｗｅは面取り加工がされており、周縁部Ｗｅの断面（例えばウェハＷの外端部から径方向に０．２ｍｍ〜０．６ｍｍの範囲）はその先端に向かって厚みが小さくなっている。また、図１（ｂ）に示すように、ウェハＷの周縁部Ｗｅには、加工装置１におけるウェハＷの回転方向の位置を特定するためのノッチ部Ｗｎが、例えば平面視において略Ｖ字形状に形成されている。
【００１１】
なお、ウェハＷの表面Ｗａには前記デバイスを保護するための保護材（図示せず）として、例えば保護テープや支持ウェハが貼り付けられていてもよい。
【００１２】
加工装置１においては、例えばウェハＷの裏面Ｗｂの研削加工が行われる。この加工装置１における研削加工は、特許文献１に開示されているように、ウェハＷがチャックテーブル上に吸着保持された状態で行われる。
【００１３】
ここで、図１に示したように、ウェハＷの周縁部Ｗｅには面取り加工がされており、また、当該周縁部Ｗｅにはノッチ部Ｗｎが形成されている。
【００１４】
そして、このように構成されたウェハＷの研削加工を行う場合、図２（ａ）に示すように、当該研削加工によって発生した研削屑Ｄは、例えば当該研削屑Ｄを含んだ洗浄液が滞留することにより、周縁部Ｗｅと後述の基板保持部３１との間（以下、「基板保持面の外縁部」という場合がある。）、特に、ノッチ部Ｗｎの形成位置における基板保持面の外縁部に入り込み、堆積する場合がある。また、このように堆積した研削屑Ｄは、基板吸着部としてのポーラス部３２の内部に侵入する場合もある。
【００１５】
一般的に基板保持部３１は、加工装置１に設けられる基板保持部３１を洗浄する洗浄装置により洗浄される。
【００１６】
また、この際ポーラス部３２の内部は、図２（ｂ）に示すように、ポーラス部３２の吸着面から水とエアを同時にブローすることにより、侵入した研削屑Ｄが外部に排出されることにより洗浄される。
【００１７】
しかしながら、例えば前記基板保持部３１の洗浄より洗浄しきれない研削屑Ｄ、特にノッチ部Ｗｎにおいて堆積した研削屑Ｄがある場合、図３（ａ）に示すように、後に加工を行うウェハＷが、堆積した研削屑Ｄの上に乗り上げてしまうおそれがある。そして、このように研削屑ＤにウェハＷが乗り上げた状態で研削加工が行われる場合、図３（ｂ）に示すように、ウェハＷの研削屑Ｄに乗り上げた部分の厚みが薄くなり、ＴＴＶ（Ｔｏｔａｌ  Ｔｈｉｃｋｎｅｓｓ  Ｖａｒｉａｔｉｏｎ）が悪化してしまうおそれがある。
【００１８】
上述した特許文献１においては、板状ワークとチャックテーブルのベース部との間に加工水が浸入することにより板状ワークの裏面に加工屑が付着することを、前記ベース部上に水封部を形成することにより防止している。しかしながら、加工屑が板状ワークとチャックテーブルの保持部との間に浸入することによりＴＴＶが悪化することについては考慮されていない。したがって、従来の研削加工には改善の余地がある。
【００１９】
そこで、本開示にかかる技術は、基板保持面上に堆積する研削屑を適切に除去し、加工後の基板の厚みの面内均一性を向上させる。具体的には、加工装置１に前記研削屑Ｄを洗浄する専用の洗浄機構を設ける。以下、本実施形態にかかる加工装置および加工方法について、図面を参照しながら説明する。なお、本明細書および図面において、実質的に同一の機能構成を有する要素においては、同一の符号を付することにより重複説明を省略する。
【００２０】
＜本実施形態にかかる加工装置の構成＞
先ず、本実施形態にかかる加工装置の構成について説明する。図４は、加工装置１の構成の概略を模式的に示す平面図である。
【００２１】
図４に示すように加工装置１は、例えば外部との間で複数のウェハＷを収容可能なカセットＣが搬入出される搬入出ステーション２と、ウェハＷに対して所定の処理を施す処理ステーション３とを一体に接続した構成を有している。搬入出ステーション２と処理ステーション３は、Ｙ軸方向に並べて配置されている。
【００２２】
搬入出ステーション２には、カセット載置台１０が設けられている。図示の例では、複数、例えば４つのカセット載置台１０がＸ軸方向に一列に並べて設けられ、すなわち、４つのカセットＣをＸ軸方向に一列に並べて載置自在に構成されている。
【００２３】
また、搬入出ステーション２には、例えばカセット載置台１０のＹ軸正方向に隣接してウェハ搬送領域２０が設けられている。ウェハ搬送領域２０には、Ｘ軸方向に延伸する搬送路２１上を移動自在なウェハ搬送装置２２が設けられている。ウェハ搬送装置２２は、ウェハＷを保持する搬送フォーク２３と搬送パッド２４を有している。搬送フォーク２３は、その先端が２本に分岐し、ウェハＷを吸着保持する。搬送フォーク２３は、例えば研削処理前のウェハＷを搬送する。搬送パッド２４は、平面視においてウェハＷの径より大きい径を備えた円形状を有し、ウェハＷを吸着保持する。搬送パッド２４は、例えば研削処理後のウェハＷを搬送する。そして、これら搬送フォーク２３と搬送パッド２４はそれぞれ、水平方向、鉛直方向、水平軸回りおよび鉛直軸回りに移動自在に構成されている。
【００２４】
処理ステーション３では、ウェハＷに対して研削や洗浄などの加工処理が連続して行われる。処理ステーション３は、回転テーブル３０、搬送ユニット４０、アライメントユニット５０、第１の洗浄ユニット６０、第２の洗浄ユニット７０、全面洗浄部または洗浄液供給部としてのウェハ洗浄ユニット８０、保持部全面洗浄部としてのチャック洗浄ユニット９０、厚み測定ユニット１００、粗研削ユニット１１０、中研削ユニット１２０、および仕上研削ユニット１３０を有している。また更に、本実施形態にかかる加工装置１には、外縁洗浄部としての第１の外縁洗浄ユニット１４０と、外縁洗浄部としての第２の外縁洗浄ユニット１５０が更に設けられている。
【００２５】
回転テーブル３０は、回転機構（図示せず）によって回転自在に構成されている。回転テーブル３０上には、ウェハＷを吸着保持する基板保持面３１ａを有する基板保持部３１が４つ設けられている。基板保持部３１は、回転テーブル３０と同一円周上に均等、すなわち９０度毎に配置されている。４つの基板保持部３１は、回転テーブル３０が回転することにより、受渡位置Ａ０および第１〜第３の加工位置Ａ１〜Ａ３に移動可能になっている。
【００２６】
図４に示すように本実施形態では、受渡位置Ａ０は回転テーブル３０のＸ軸正方向側且つＹ軸負方向側の位置であり、ウェハ洗浄ユニット８０、チャック洗浄ユニット９０、厚み測定ユニット１００および第１の外縁洗浄ユニット１４０が配置される。受渡位置Ａ０のＹ軸負方向側には、第２の洗浄ユニット７０、アライメントユニット５０および第１の洗浄ユニット６０が並べて配置される。アライメントユニット５０と第１の洗浄ユニット６０は上方からこの順で積層されて配置される。第１の加工位置Ａ１は回転テーブル３０のＸ軸正方向側且つＹ軸正方向側の位置であり、ウェハ洗浄ユニット８０、粗研削ユニット１１０および第２の外縁洗浄ユニット１５０が配置される。第２の加工位置Ａ２は回転テーブル３０のＸ軸負方向側且つＹ軸正方向側の位置であり、ウェハ洗浄ユニット８０、中研削ユニット１２０および第２の外縁洗浄ユニット１５０が配置される。第３の加工位置Ａ３は回転テーブル３０のＸ軸負方向側且つＹ軸負方向側の位置であり、ウェハ洗浄ユニット８０、仕上研削ユニット１３０および第２の外縁洗浄ユニット１５０が配置される。
【００２７】
図５〜図７は、それぞれ基板保持部３１の構成の概略を模式的に示す説明図であり、図５は平面図、図６は断面図、図７は斜視図である。
【００２８】
基板保持部３１は、基板吸着部としてのポーラス部３２と、ポーラス部３２を下方から支持する支持部としてのチャックベース３３とを備えている。このように基板保持部３１には、例えばポーラスチャックが用いられる。またチャックベース３３は、例えばセラミックにより構成されている。
【００２９】
図６に示すように、基板保持部３１は回転機構３４によって回転可能に構成されている。回転機構３４は、例えば回転テーブル３０に形成された貫通孔３０ａを挿通して設けられる。
【００３０】
基板保持部３１には、基板保持面３１ａに少なくとも液又はガスを供給する供給管３５が接続されている。供給管３５は、回転機構３４の内部を通って基板保持部３１に接続される。また、供給管３５は、４つの基板保持部３１のそれぞれに接続されている。各供給管３５には、各基板保持部３１への液又はガスの供給を制御するバルブ３６が設けられている。また、供給管３５は、下流側において液供給管３５ａとガス供給管３５ｂに分岐している。液供給管３５ａには、液供給部３７が接続されている。液供給部３７は、液、例えば純水を貯留し、当該液を基板保持面３１ａに供給する。ガス供給管３５ｂには、ガス供給部３８が接続されている。ガス供給部３８は、ガス、例えばエアや不活性ガスを貯留し、当該ガスを基板保持面３１ａに供給する。
【００３１】
なお、本実施形態では、液供給部３７とガス供給部３８に共通した供給管３５を用いたが、液供給管３５ａとガス供給管３５ｂをそれぞれ直接、基板保持部３１に接続してもよい。かかる場合、液供給管３５ａとガス供給管３５ｂのそれぞれに、バルブ（図示せず）が設けられる。また、本実施形態では、４つの基板保持部３１に共通の液供給部３７とガス供給部３８を設けたが、基板保持部３１毎に個別に液供給部３７とガス供給部３８をそれぞれ設けてもよい。
【００３２】
また、図４〜図６に示すように、受渡位置Ａ０における基板保持面３１ａの外縁部上方には、第１の外縁洗浄ユニット１４０が設けられている。第１の外縁洗浄ユニット１４０は、基板保持面３１ａの外縁部に向けてガスと液体との２流体洗浄液、例えばエアや不活性ガスと純水を供給するノズル１４１を有している。ノズル１４１は、供給管１４２を介して、液供給部１４３やガス供給部１４４に接続されている。
【００３３】
なお、第１の外縁洗浄ユニット１４０の構成はこれに限定されず、例えば上述のような２流体ノズルに代えて、高圧洗浄ノズルや洗浄用ブラシが用いられてもよい。また、これらノズルや洗浄用ブラシを任意に組み合わせて加工装置１に設けてもよい。
【００３４】
また、図４〜図６に示すように、第１の加工位置Ａ１における基板保持部３１の径方向外側には、第２の外縁洗浄ユニット１５０が設けられている。第２の外縁洗浄ユニット１５０は、基板保持面３１ａの外縁部に向けて液、例えば純水を供給するノズル１５１を有している。ノズル１５１は、供給管１５２を介して、液供給部１５３に接続されている。
【００３５】
なお、第２の加工位置Ａ２および第３の加工位置Ａ３は第１の加工位置Ａ１と同様の構成を有しており、すなわち、第２の加工位置Ａ２および第３の加工位置Ａ３には、図４に示すように、第２の外縁洗浄ユニット１５０が設けられている。また、本実施形態では、加工位置Ａ１〜Ａ３のそれぞれに個別に液供給部１５３を設けたが、加工位置Ａ１〜Ａ３に共通の液供給部１５３を設け、各加工位置Ａ１〜Ａ３への液の供給をバルブ（図示せず）により制御してもよい。
【００３６】
図４の説明に戻る。搬送ユニット４０は、複数、例えば３つのアーム４１を備えた多関節型のロボットである。３つのアーム４１は、それぞれが旋回自在に構成されている。先端のアーム４１には、ウェハＷを吸着保持する搬送パッド４２が取り付けられている。また、基端のアーム４１は、アーム４１を鉛直方向に昇降させる昇降機構４３に取り付けられている。そして、かかる構成を備えた搬送ユニット４０は、受渡位置Ａ０、アライメントユニット５０、第１の洗浄ユニット６０、および第２の洗浄ユニット７０に対して、ウェハＷを搬送できる。
【００３７】
アライメントユニット５０では、研削処理前のウェハＷの水平方向の向きを調節する。具体的には、例えばスピンチャック（図示せず）に保持されたウェハＷを回転させながら、検出部（図示せず）でウェハＷのノッチ部Ｗｎの位置を検出することで、当該ノッチ部Ｗｎの位置を調節してウェハＷの水平方向の向きを調節する。
【００３８】
第１の洗浄ユニット６０では、研削処理後のウェハＷの裏面Ｗｂを洗浄し、より具体的にはスピン洗浄する。
【００３９】
第２の洗浄ユニット７０では、研削処理後のウェハＷが搬送パッド４２に保持された状態のウェハＷの表面Ｗａを洗浄する。また、搬送パッド４２を洗浄する。
【００４０】
ウェハ洗浄ユニット８０では、加工位置Ａ１〜Ａ３において研削処理中のウェハＷの裏面Ｗｂ、受渡位置Ａ０において研削処理後のウェハＷの裏面Ｗｂを洗浄する。
【００４１】
チャック洗浄ユニット９０では、受渡位置Ａ０において基板保持部３１を洗浄する。図５に示すように、チャック洗浄ユニット９０は、ストーン洗浄具９１、および移動機構９２を有している。移動機構９２は、スライダ９３に沿ってＹ軸方向に移動自在に構成されているとともに、ストーン洗浄具９１をＸ軸方向およびＺ軸方向に移動自在に構成されている。
【００４２】
なお、チャック洗浄ユニット９０に設けられる洗浄具はストーン洗浄具９１には限られず、例えばブラシ、高圧洗浄液供給ノズル、又は、２流体洗浄液ノズル等であってもよい。
【００４３】
厚み測定ユニット１００では、受渡位置Ａ０において研削処理後のウェハＷの厚みを測定する。厚み測定ユニット１００は、例えば非接触式のレーザ変位センサである。厚み測定ユニット１００は、図示しない移動機構により測定位置と待機位置との間で移動自在に構成されている。
【００４４】
粗研削ユニット１１０では、ウェハＷの裏面Ｗｂを粗研削する。粗研削ユニット１１０は、環状形状で回転自在な粗研削砥石（図示せず）を備えた粗研削部１１１を有している。また、粗研削部１１１は、支柱１１２に沿って鉛直方向および水平方向に移動可能に構成されている。そして、基板保持部３１に保持されたウェハＷの裏面Ｗｂを粗研削砥石に当接させた状態で、基板保持部３１と粗研削砥石をそれぞれ回転させ、さらに粗研削砥石を下降させることによって、ウェハＷの裏面Ｗｂを粗研削する。
【００４５】
中研削ユニット１２０では、ウェハＷの裏面Ｗｂを中研削する。中研削ユニット１２０は、環状形状で回転自在な中研削砥石（図示せず）を備えた中研削部１２１を有している。また、中研削部１２１は、支柱１２２に沿って鉛直方向および水平方向に移動可能に構成されている。なお、中研削砥石の砥粒の粒度は、粗研削砥石の砥粒の粒度より小さい。そして、基板保持部３１に保持されたウェハＷの裏面Ｗｂを中研削砥石に当接させた状態で、基板保持部３１と中研削砥石をそれぞれ回転させ、さらに中研削砥石を下降させることによって、裏面Ｗｂを中研削する。
【００４６】
仕上研削ユニット１３０では、ウェハＷの裏面Ｗｂを仕上研削する。仕上研削ユニット１３０は、環状形状で回転自在な仕上研削砥石（図示せず）を備えた仕上研削部１３１を有している。また、仕上研削部１３１は、支柱１３２に沿って鉛直方向および水平方向に移動可能に構成されている。なお、仕上研削砥石の砥粒の粒度は、中研削砥石の砥粒の粒度より小さい。そして、基板保持部３１に保持されたウェハＷの裏面Ｗｂを仕上研削砥石に当接させた状態で、基板保持部３１と仕上研削砥石をそれぞれ回転させ、さらに仕上研削砥石を下降させることによって、裏面Ｗｂを仕上研削する。
【００４７】
第１の外縁洗浄ユニット１４０では、ウェハＷの研削処理後の基板保持部３１を洗浄、より具体的には基板保持面３１ａの外縁部であって、ウェハＷの研削により周縁部Ｗｅとポーラス部３２の間に入り込んで堆積した研削屑Ｄを洗い流す。
【００４８】
第２の外縁洗浄ユニット１５０では、ウェハＷの研削処理中の基板保持部３１を洗浄、より具体的には基板保持面３１ａの外縁部であって、ウェハＷの研削により周縁部Ｗｅとポーラス部３２の間に入り込んで堆積しようとする研削屑Ｄを洗い流す。
【００４９】
加工装置１には、制御部１６０が設けられている。制御部１６０は、例えばコンピュータであり、プログラム格納部（図示せず）を有している。プログラム格納部には、加工装置１におけるウェハＷの処理を制御するプログラムが格納されている。また、プログラム格納部には、上述の各種処理ユニットや搬送装置などの駆動系の動作を制御して、加工装置１における後述の加工処理を実現させるためのプログラムも格納されている。なお、上記プログラムは、コンピュータに読み取り可能な記憶媒体Ｈに記録されていたものであって、当該記憶媒体Ｈから制御部１６０にインストールされたものであってもよい。
【００５０】
＜本実施形態にかかる加工処理＞
次に、以上のように構成された加工装置１を用いて行われる加工処理について、図８に示すフローチャートに沿って説明する。
【００５１】
先ず、複数のウェハＷを収納したカセットＣが、搬入出ステーション２のカセット載置台１０に載置される。カセットＣには、ウェハＷの表面Ｗａが上側を向くようにウェハＷが収納されている。
【００５２】
次に、ウェハ搬送装置２２の搬送フォーク２３によりカセットＣ内のウェハＷが取り出され、処理ステーション３に搬送される。この際、搬送フォーク２３によりウェハＷの裏面Ｗｂが上側に向くように、表裏面が反転される。
【００５３】
処理ステーション３に搬送されたウェハＷは、アライメントユニット５０に受け渡される。そして、アライメントユニット５０において、ウェハＷの水平方向の向きが調節される（図８のステップＳ１）。
【００５４】
なお、次のステップＳ２においてウェハＷが基板保持部３１に保持される前の任意のタイミング、すなわち、例えばこのステップＳ１においてウェハＷのアライメントが行われる際に、基板保持部３１はチャック洗浄ユニット９０のストーン洗浄具９１を用いて洗浄されている（図８のステップＴ１）。なお、かかる基板保持部３１の洗浄にあたっては、供給管３５を介してポーラス部３２の吸着面から水とエアを同時にブローされる。
【００５５】
次に、ウェハＷは搬送ユニット４０により、アライメントユニット５０から受渡位置Ａ０に搬送され、当該受渡位置Ａ０の基板保持部３１に受け渡される。その後、基板保持部３１を第１の加工位置Ａ１に移動させる。そして、粗研削ユニット１１０によって、ウェハＷの裏面Ｗｂが粗研削される（図８のステップＳ２）。またこの際、図９に示すように、ウェハ洗浄ユニット８０から基板保持部３１に保持されたウェハＷの中心方向へと洗浄液が供給される。なお、かかる粗研削においては、発生した研削屑Ｄを含んだ前記洗浄液がウェハＷの周縁部Ｗｅとポーラス部３２との間、すなわち基板保持面３１ａの外縁部に入り込むことにより、当該基板保持面３１ａの外縁部に研削屑Ｄが堆積する。
【００５６】
ここで、かかる粗研削と同時に、当該基板保持面３１ａの外縁部は、第２の外縁洗浄ユニット１５０により洗浄される（第２の外縁洗浄）。かかる際、ウェハＷを保持した基板保持部３１は回転機構３４により回転されるため、粗研削により発生する研削屑Ｄを含んだ前記洗浄液は、基板保持面３１ａの全周に亘って洗い流される（図８のステップＴ２）。
【００５７】
なお、かかる基板保持部３１の洗浄にあたっては、ウェハ洗浄ユニット８０から基板保持部３１に向けて洗浄液を供給してもよい。
【００５８】
なお、かかる第２の外縁洗浄ユニット１５０による基板保持面３１ａの外縁部の洗浄にあたっては、基板保持部３１に保持されたウェハＷの回転方向、すなわち、図９に示すように、洗浄対象となる基板保持面３１ａの外縁部の接線方向に向けて、洗浄液を供給することが望ましい。
【００５９】
次に、基板保持部３１を第２の加工位置Ａ２に移動させる。そして、中研削ユニット１２０によって、ウェハＷの裏面Ｗｂが中研削される（図８のステップＳ３）。またこの際、図９に示すように、ウェハ洗浄ユニット８０から基板保持部３１に保持されたウェハＷの中心方向へと洗浄液が供給される。なお、かかる中研削においては、発生した研削屑Ｄを含んだ前記洗浄液がウェハＷの周縁部Ｗｅとポーラス部３２との間、すなわち基板保持面３１ａの外縁部に入り込むことにより、当該基板保持面３１ａの外縁部に研削屑Ｄが堆積する。
【００６０】
ここで、かかる中研削と同時に、当該基板保持面３１ａの外縁部は、第２の外縁洗浄ユニット１５０により洗浄される（第２の外縁洗浄）。かかる際、ウェハＷを保持した基板保持部３１は回転機構３４により回転されるため、中研削により発生する研削屑Ｄを含んだ前記洗浄液は、基板保持面３１ａの全周に亘って洗い流される（図８のステップＴ３）。
【００６１】
なお、かかる第２の外縁洗浄ユニット１５０による基板保持面３１ａの外縁部の洗浄にあたっては、基板保持部３１に保持されたウェハＷの回転方向、すなわち、図９に示すように、洗浄対象となる基板保持面３１ａの外縁部の接線方向に向けて、洗浄液を供給することが望ましい。
【００６２】
次に、基板保持部３１を第３の加工位置Ａ３に移動させる。そして、仕上研削ユニット１３０によって、ウェハＷの裏面Ｗｂが仕上研削される（図８のステップＳ４）。またこの際、図９に示すように、ウェハ洗浄ユニット８０から基板保持部３１に保持されたウェハＷの中心方向へと洗浄液が供給される。なお、かかる仕上研削においては、発生した研削屑Ｄを含んだ前記洗浄液がウェハＷの周縁部Ｗｅとポーラス部３２との間、すなわち基板保持面３１ａの外縁部に入り込むことにより、当該基板保持面３１ａの外縁部に研削屑Ｄが堆積する。
【００６３】
ここで、当該基板保持面３１ａの外縁部は、第２の外縁洗浄ユニット１５０により洗浄される（第２の外縁洗浄）。かかる際、ウェハＷを保持した基板保持部３１は回転機構３４により回転されるため、仕上研削により発生する研削屑Ｄを含んだ前記洗浄液は、基板保持面３１ａの全周に亘って洗い流される（図８のステップＴ４）。
【００６４】
なお、かかる第２の外縁洗浄ユニット１５０による基板保持面３１ａの外縁部の洗浄にあたっては、基板保持部３１に保持されたウェハＷの回転方向、すなわち、図９に示すように、洗浄対象となる基板保持面３１ａの外縁部の接線方向に向けて、洗浄液を供給することが望ましい。
【００６５】
次に、基板保持部３１を受渡位置Ａ０に移動させる。ここでは、ウェハ洗浄ユニット８０から洗浄液が供給されることによって、ウェハＷの裏面Ｗｂの全面が粗洗浄される（図８のステップＳ５）。この工程では、裏面Ｗｂの汚れをある程度まで落とす洗浄が行われる。
【００６６】
かかる粗洗浄と同時に、厚み測定ユニット１００によって、研削加工後のウェハＷの厚みが測定される。具体的には、厚み測定ユニット１００が備える図示しない水供給部によりウェハＷの裏面Ｗｂに洗浄液が供給されるのと同時に、当該供給される洗浄液の液中に計測用のレーザを照射することにより、ウェハＷの厚みを測定する。
【００６７】
次に、ウェハＷは搬送ユニット４０により、受渡位置Ａ０から第２の洗浄ユニット７０に搬送される。そして、第２の洗浄ユニット７０では、ウェハＷが搬送パッド４２に保持された状態で、当該ウェハＷの表面Ｗａが洗浄、乾燥される（図８のステップＳ６）。
【００６８】
次に、ウェハＷは搬送ユニット４０によって、第２の洗浄ユニット７０から第１の洗浄ユニット６０に搬送される。そして、第１の洗浄ユニット６０では、ウェハＷの裏面Ｗｂが洗浄液によって仕上洗浄される（図８のステップＳ７）。この工程では、裏面Ｗｂが所望の清浄度まで洗浄、乾燥される。
【００６９】
なお、前記ステップＳ６においてウェハＷが受渡位置Ａ０から第２の洗浄ユニット７０に搬送された後、すなわち、基板保持部３１からウェハＷが搬出された後、基板保持部３１がウェハＷを保持していない任意のタイミングにおいて、基板保持面３１ａの外縁部は第１の外縁洗浄ユニット１４０により洗浄される（第１の外縁洗浄：図８のステップＴ５）。かかる際、基板保持部３１を回転機構３４により回転させることにより、基板保持面３１ａの外周部に付着した研削屑Ｄを、全周に亘って洗い流すことができる。
【００７０】
また、かかる基板保持面３１ａの外縁部の洗浄にあたっては、基板保持部３１に保持されていたウェハＷのノッチ部Ｗｎが位置していた部分を主として洗浄するようにしてもよい。これにより、ノッチ部Ｗｎにおいて堆積した研削屑Ｄに対して集中的に洗浄を行うことができるため、当該堆積した研削屑Ｄを適切に洗い流すことができる。
【００７１】
また更に、かかる基板保持面３１ａの外縁部の洗浄に際して、基板保持部３１の全面洗浄、すなわち、チャック洗浄ユニット９０を用いた基板保持部３１の全面洗浄が行われてもよい。かかる基板保持部３１の洗浄にあたっては、基板保持部３１を回転機構３４により回転させながら、供給管３５を介してポーラス部３２の吸着面から水とエアが同時にブローされる。このように基板保持部３１を回転させながら基板保持部３１の全面洗浄を行うことにより、遠心力により、洗浄により汚れた洗浄液が基板保持面３１ａのポーラス部３２に浸入するのを抑制できる。また更に、このようにポーラス部３２の吸着面から水とエアを同時にブローすることで、汚れた洗浄液がポーラス部３２に浸入するのをさらに適切に抑制できる。
【００７２】
なお、かかる基板保持部３１の全面洗浄は、基板保持面３１ａの外縁部の洗浄と同時に行われてもよいし、基板保持面３１ａの外縁部の洗浄の前または後に行われてもよい。ただし、かかる基板保持部３１の全面洗浄を外縁部の洗浄と同時に行うことにより、洗浄後の基板保持面３１ａのポーラス部３２に、洗浄により汚れた洗浄液が浸入することが適切に抑制される。かかる観点から、基板保持部３１の全面洗浄は、基板保持面３１ａの外縁部の洗浄と同時に行われることが好ましい。
【００７３】
その後、すべての処理が施されたウェハＷは、ウェハ搬送装置２２の搬送パッド２４によってカセット載置台１０のカセットＣに搬送される。こうして、１枚のウェハＷに対する一連の加工処理が終了すると、カセットＣから次に処理が行われるウェハＷがウェハ搬送装置２２の搬送フォーク２３により取り出され、当該次のウェハＷに対して一連の加工処理が開始される。
【００７４】
なお、かかる次のウェハＷに対しての加工処理においては、前のウェハＷに対して行われた厚み測定ユニット１００による測定結果に基づいて、チャック洗浄のフィードバック制御を行う。具体的には、例えば厚み測定ユニット１００によりウェハＷの面内厚みに差があると測定された場合には基板保持部３１上に研削屑Ｄが堆積していると判断し、当該研削屑Ｄを洗い流すように各洗浄ユニットによるチャック洗浄を行う。
【００７５】
そして、カセットＣに収納された全てのウェハＷに対しての一連の加工処理が終了すると、加工装置１における一連の加工処理が終了する。
【００７６】
このように、本実施形態にかかる加工装置１によれば、ウェハＷの研削処理により発生し、基板保持面３１ａの外周部に堆積した研削屑Ｄを、当該ウェハＷの研削加工後に第１の外縁洗浄ユニット１４０によって適切に洗浄することができる。これにより例えば基板保持面３１ａの外縁部に研削屑Ｄが堆積してしまった場合であっても、適切に当該研削屑Ｄを洗い流し、ＴＴＶの悪化を抑制することができる。
【００７７】
また、本実施形態にかかる加工装置１によれば、研削処理により発生した研削屑Ｄを、ウェハＷの研削加工中に第２の外縁洗浄ユニット１５０によって適切に洗浄することができる。これにより、ウェハＷの周縁部Ｗｅとポーラス部３２との間に研削屑Ｄが堆積することを適切に抑制することができる。
【００７８】
具体的には、上述したように、研削加工により発生した研削屑Ｄ、具体的には、研削屑Ｄを含んだ洗浄液は、ポーラス部３２によるウェハＷの吸引の影響で、基板保持面３１ａの外縁部に入り込み、特にノッチ部Ｗｎにおいて堆積しやすい。ここで、第２の外縁洗浄ユニット１５０により洗浄液を供給して洗浄を行うことにより、供給された洗浄液により基板保持面３１ａの外縁部、およびノッチ部Ｗｎの部分の研削屑Ｄが洗い流され、これにより研削屑Ｄが堆積することを抑制することができる。
【００７９】
なお、かかる第１の外縁洗浄ユニット１４０による基板保持面３１ａの外縁部の洗浄方法は任意に選択することができる。例えば、上述のように基板保持部３１を回転させることにより外縁部の全周の洗浄を行ってもよいし、基板保持部３１を回転させずに少なくともウェハＷのノッチ部Ｗｎにおいて堆積した研削屑Ｄに対して集中的に洗浄を行ってもよい。
【００８０】
また、このように第１の外縁洗浄ユニット１４０によりノッチ部Ｗｎにおいて堆積した研削屑Ｄを集中的に洗浄するにあたっては、上述のようにチャック洗浄ユニット９０および供給管３５を介して供給される水とエアによる基板保持部３１の全面洗浄を同時に行うことにより、堆積した研削屑Ｄを更に適切に除去することができる。
【００８１】
なお、上記実施形態における第１の外縁洗浄は、図８のステップＴ５、すなわち基板保持部３１からウェハＷが搬出された後の任意のタイミングにおいて行われたが、洗浄のタイミングはこれに限定されない。例えば第１の外縁洗浄は、図８のステップＴ１、すなわちチャック洗浄ユニット９０および供給管３５を介して供給される水とエアによる基板保持部３１の全面洗浄と同時に行われてもよい。
【００８２】
また、第２の外縁洗浄ユニット１５０による基板保持部３１の外縁部の洗浄は、本実施形態においては、それぞれ粗研削、中研削および仕上研削と同時に行った。しかしながら、第２の外縁洗浄ユニット１５０による外縁洗浄のタイミングはこれに限られず、例えば研削加工中以外の任意のタイミングで行うことができる。
【００８３】
また更に、上記実施形態においては各加工位置Ａ１〜Ａ３におけるウェハＷの研削加工時に、ウェハ洗浄ユニット８０から洗浄液を供給するように制御したが、ウェハ洗浄ユニット８０からの洗浄液の供給タイミングもこれに限られない。例えば、加工処理後、ウェハＷを保持していない基板保持部３１のポーラス部３２に向けて洗浄液を供給するようにしてもよい。
【００８４】
また、ウェハ洗浄ユニット８０の設置位置も上記実施形態には限られず、例えばチャック洗浄ユニット９０と同様にスライダ９３によって移動自在に構成されていてもよい。また、ウェハ洗浄ユニット８０は例えば２流体ノズルであってもよい。
【００８５】
なお、本実施形態にかかる加工装置１においては、上述のように第１の外縁洗浄ユニット１４０、および第２の外縁洗浄ユニット１５０の両方が設けられていてもよいし、または少なくともいずれか一方のみが設けられてもよい。いずれの場合であっても、研削屑Ｄの入り込み、堆積が懸念される基板保持面３１ａの外縁部を集中的に洗浄を行うことができるため、当該外縁部への研削屑Ｄの堆積の抑制、または堆積した研削屑Ｄの除去を適切に行うことができる。
【００８６】
また、上記実施形態においては、加工装置１の受渡位置Ａ０、および加工位置Ａ１〜Ａ３のそれぞれに新たに第１の外縁洗浄ユニット１４０および第２の外縁洗浄ユニット１５０を設けたが、第１の外縁洗浄ユニット１４０および第２の外縁洗浄ユニット１５０の設置個所はこれに限られない。
【００８７】
例えば、第１の外縁洗浄ユニット１４０は、チャック洗浄ユニット９０と並行してスライダ９３に設けられていてもよい。かかる場合、図示しない第１の外縁洗浄ユニット１４０の移動機構により、Ｘ軸方向およびＺ軸方向にも移動自在に構成されることが好ましい。また例えば、第２の外縁洗浄ユニット１５０が、スライダ９３に設けられていてもよい。
【００８８】
また更に、第２の外縁洗浄ユニット１５０の設置個数も以上の実施形態には限られず、例えば加工位置Ａ１〜Ａ３のいずれかに、少なくとも１つ設けられるようにしてもよい。
【００８９】
また、加工位置Ａ１〜Ａ３における第２の外縁洗浄ユニット１５０の設置位置も、上記実施形態に限られるものではない。例えば第２の外縁洗浄ユニット１５０は、第１の外縁洗浄ユニット１４０と同様に、基板保持面３１ａの外縁部上方に設けられていてもよい。同様に、第１の外縁洗浄ユニット１４０が、基板保持面３１ａの径方向外側に設けられていてもよい。
【００９０】
なお、本実施形態によれば、受渡位置Ａ０において当該ウェハＷの粗洗浄（図８のステップＳ５）と同時に、厚み測定ユニット１００による厚み測定が行われる。このように厚み測定と洗浄が同時に行われることにより、加工装置１におけるスループットを向上させることが出来る。また、これにより、第３の加工位置Ａ３における待機時間を短縮することができるため、加工装置１におけるスループットを更に適切に向上させることができる。
【００９１】
なお、上記実施形態においてはウェハ洗浄ユニット８０と厚み測定ユニット１００を別体として設けたが、ウェハ洗浄ユニット８０と厚み測定ユニット１００は必ずしも別体として設ける必要はない。例えば、これらを一体に設け、厚み測定ユニット１００が備える水供給部（図示せず）から供給される水を、洗浄液として利用することにより、さらに加工装置１におけるスループットを向上させることができる。
【００９２】
また、上記実施形態においてはウェハＷの厚み測定を前記粗洗浄または基板保持部３１の全面洗浄と同時に行ったが、ウェハＷの厚み測定のタイミングはこれに限られない。例えば、ウェハＷの厚み測定は、これら洗浄の前後の任意のタイミングで行われてもよい。ただし、上述のようにウェハＷの厚み測定と洗浄を同時に行うことにより、加工装置１におけるスループットを向上させることができるため、これらは同時に行われることが望ましい。
【００９３】
なお、上記実施形態では、例えば単一の径のウェハＷを吸着保持可能なポーラスチャックを例に説明を行ったが、径の異なるウェハＷ（例えばφ２００ｍｍのウェハＷおよびφ３００ｍｍのウェハＷ）のそれぞれを吸着保持可能な基板保持部としてのコンバージョンチャックに本開示内容が適用されてもよい。
【００９４】
図１０は、コンバージョンチャック３１０の構成の概略を模式的に示す斜視図である。図１０に示すように、コンバージョンチャック３１０は、基板吸着部としてのポーラス部３２０と、ポーラス部３２０を支持する支持部としてのチャックベース３３０とを備えている。
【００９５】
ポーラス部３２０は、例えばφ２００ｍｍのウェハＷの表面Ｗａを上面に吸着保持するための略円板形状から成る中心領域３２０ａと、例えばφ３００ｍｍのウェハＷの表面Ｗａを中心領域３２０ａと共に上面に吸着保持するための略環状形状から成る外周領域３２０ｂとを有している。すなわち、加工装置１においてφ２００ｍｍのウェハＷを加工処理する場合にあっては、中心領域３２０ａが基板保持面３１０ａとなり、φ３００ｍｍのウェハＷを加工処理する場合にあっては、中心領域３２０ａおよび外周領域３２０ｂが基板保持面３１０ａとなる。なお、中心領域３２０ａおよび外周領域３２０ｂは、チャックベース３３０の後述の仕切部３３０ｃを介してチャックベース３３０上に支持される。
【００９６】
チャックベース３３０は、ポーラス部３２０を下方から支持するように構成され、上面にはポーラス部３２０の中心領域３２０ａを嵌合するための中心孔３３０ａと、外周領域３２０ｂを嵌合するための外周孔３３０ｂとが、仕切部３３０ｃを介して形成されている。また、チャックベース３３０はポーラス部３２０の外周領域３２０ｂよりも大きな径で形成されており、外周孔３３０ｂの径方向外側（外周領域３２０ｂの径方向外側）には非吸着領域３３０ｄが形成されている。なお、チャックベース３３０は、例えばセラミックにより構成されている。
【００９７】
なお、ポーラス部３２０およびチャックベース３３０の上面は、それぞれポーラス部３２０の中心領域３２０ａおよび外周領域３２０ｂを中心孔３３０ａおよび外周孔３３０ｂに嵌合した状態で一致するように構成されている。
【００９８】
このように構成されたコンバージョンチャック３１０を用いる場合、第１の外縁洗浄ユニット１４０および第２の外縁洗浄ユニット１５０では、例えばφ２００ｍｍのウェハＷの研削処理後にあっては、中心領域３２０ａの外縁部を洗浄し、例えばφ３００ｍｍのウェハＷの研削処理後にあっては、外周領域３２０ｂの外縁部を洗浄する。
【００９９】
また、第１の外縁洗浄ユニット１４０および第２の外縁洗浄ユニット１５０は、それぞれ径の異なるウェハＷ（例えばφ２００ｍｍまたはφ３００ｍｍのウェハＷ）を処理する場合において、それぞれの径のウェハＷに応じて移動自在に構成されていてもよい。すなわち、例えば第１の外縁洗浄ユニット１４０および第２の外縁洗浄ユニット１５０は、それぞれ図示しない移動機構により基板保持部３１上において径方向に移動自在に構成されていてもよい。
【０１００】
＜他の実施形態にかかる加工装置の構成＞
上述したように、加工装置１による研削加工において発生した研削屑Ｄは、ポーラス部３２によるウェハＷの吸引の影響で、基板保持面３１ａの外縁部に入り込み、特にノッチ部Ｗｎにおいて堆積しやすく、これにより研削加工におけるＴＴＶが悪化する場合がある。ここで、特にノッチ部Ｗｎにおいて研削屑Ｄが堆積しやすいのは、図１１に示すように平面視においてノッチ部Ｗｎが形成された部分においては、ウェハＷの搬送精度やアライメント精度によってはポーラス部３２が露出する場合があり、当該露出部に研削屑Ｄが積極的に吸引されてしまうことに起因すると考えられる。
【０１０１】
そこで、本実施形態にかかる基板保持部においては、平面視におけるノッチ部Ｗｎに対応する位置において、ポーラス部３２によるウェハＷの吸引が行われないようにする。
【０１０２】
具体的には、図１２（ａ）に示すように、基板保持部３１が備えるポーラス部３２に、ウェハＷを吸着保持した際に平面視においてウェハＷのノッチ部Ｗｎに対応する、切欠き３２ａを形成する。
【０１０３】
また、チャックベース３３の切欠き３２ａに対応する位置においては、突出部３３ａが形成される。これにより、切欠き３２ａが形成された基板保持部３１上においては、ウェハＷの吸着保持が行われないように構成されている。
【０１０４】
本実施形態によれば、ノッチ部Ｗｎに対応する部分に切欠き３２ａが形成されることにより、平面視においてポーラス部３２が露出することがなくなり、研削屑Ｄを積極的に吸引することを抑制することができる。そして、これによりノッチ部Ｗｎにおいて研削屑Ｄが堆積することを抑制することができる。
【０１０５】
また、このように研削屑Ｄの堆積を抑制することにより、チャック洗浄ユニット９０および供給管３５を介して供給される水とエアによる全面洗浄によって、研削屑Ｄを容易に除去することができる。そして、第１の外縁洗浄ユニット１４０、または第２の外縁洗浄ユニット１５０による外縁洗浄を更に行うことによって、研削屑Ｄの除去を更に適切に行うことができる。
【０１０６】
なお、本実施形態にかかる切欠き３２ａおよびウェハＷのノッチ部Ｗｎの位置合わせは、アライメントユニット５０によって行われる。すなわち、本実施形態においては、前記ステップＳ１においてウェハＷの水平方向の位置合わせが行われ、かかる位置合わせの際にノッチ部Ｗｎの位置が切欠き３２ａと一致するように調節される。そして、位置合わせが行われたウェハＷは、前記ステップＳ２において受渡位置Ａ０に搬送され、当該受渡位置Ａ０の基板保持部３１に対して、円周方向において切欠き３２ａとノッチ部Ｗｎが対応するように受け渡される。
【０１０７】
なお、ポーラス部３２に形成される切欠き３２ａは、図１２（ｂ）に示すように、それぞれ平面視においてウェハＷに形成されたノッチ部Ｗｎよりも大きく形成されていることが好ましい。具体的には、少なくともアライメントユニット５０において行われる位置合わせの許容誤差以上の大きさで切欠き３２ａを形成することにより、ノッチ部Ｗｎにおいて研削屑Ｄが堆積することを更に適切に抑制することができる。
【０１０８】
なお、基板保持部として前記したコンバージョンチャック３１０を使用し、当該コンバージョンチャック３１０に切欠きを形成する場合、図１３に示すように、中心領域３２０ａおよび外周領域３２０ｂのそれぞれに、φ２００ｍｍのウェハＷに対応する切欠き３２０ｃ、およびφ３００ｍｍのウェハＷに対応する切欠き３２０ｄが形成される。
【０１０９】
＜他の実施形態にかかる加工方法＞
なお、第１の外縁洗浄ユニット１４０第２の外縁洗浄ユニット１５０第１の外縁洗浄ユニット１４０第２の外縁洗浄ユニット１５０基板保持部３１に保持されるウェハＷの水平方向の向きを、処理するウェハＷの１枚毎に変更するように制御してもよい。
【０１１０】
図１４は、本実施形態にかかる加工方法の概要を模式的に示す説明図である。
【０１１１】
図１４に示すように、本実施形態にかかる加工方法においては、加工装置１において連続的に処理されるウェハＷの、基板保持部３１に保持される際の水平方向の位置（角度）を枚葉で変更している。すなわち、連続的に処理される複数枚のウェハＷそれぞれのノッチ部Ｗｎの位置が平面視において重ならないように、アライメントユニット５０による位置合わせを行っている。
【０１１２】
前述のように、研削加工において発生した研削屑Ｄは、特にノッチ部Ｗｎにおいて堆積しやすいが、かかる研削屑Ｄの堆積による影響は、繰り返し処理される複数のウェハＷの水平方向の向きが一致している場合に顕著に表れるものと考えることができる。すなわち、複数のウェハＷのノッチ部Ｗｎの位置が水平方向において一致する場合、同一の箇所において研削屑Ｄが繰り返し堆積することとなり、これにより従来行われていたチャック洗浄ユニット９０および供給管３５を介して供給される水とエアによる基板保持部３１の全面洗浄では洗浄が追い付かなくなってしまう。
【０１１３】
そこで、本実施形態にかかる研削方法のように、複数のウェハＷのノッチ部Ｗｎ位置、すなわち研削屑Ｄが堆積する位置を枚葉で変更することにより、チャック洗浄ユニット９０および供給管３５を介して供給される水とエアによる全面洗浄による研削屑Ｄの除去を更に容易にできるようにする。これにより、加工処理におけるＴＴＶの悪化を適切に抑制することができる。
【０１１４】
また、かかる際、第１の外縁洗浄ユニット１４０および第２の外縁洗浄ユニット１５０による外縁洗浄をさらに行うことにより、ノッチ部Ｗｎにおいて堆積した研削屑Ｄの除去を更に適切に行うことができ、ＴＴＶの悪化を更に適切に抑制することができる。
【０１１５】
なお、かかる複数のウェハＷのノッチ部Ｗｎの位置は、厚み測定ユニット１００による測定結果に基づいて、周方向において分散させてもよい。すなわち、研削屑Ｄの堆積により局所的にＴＴＶが悪化した場合、例えば次に加工処理が行われるウェハＷのノッチ部Ｗｎ位置を当該ＴＴＶ悪化箇所の径方向反対側に設定することにより、次のウェハＷのＴＴＶを改善することができる。
【０１１６】
なお、かかる基板保持部３１に保持される際の水平方向の位置の変更は、ウェハＷが連続的に処理される場合に限られず、ウェハＷの処理を１枚ずつ行う場合に行ってもよい。この場合においても、ノッチ部Ｗｎにおいて堆積する研削屑Ｄの位置を分散させることができるため、加工処理におけるＴＴＶの悪化を適切に抑制することができる。
【０１１７】
今回開示された実施形態はすべての点で例示であって制限的なものではないと考えられるべきである。上記の実施形態は、添付の請求の範囲およびその主旨を逸脱することなく、様々な形態で省略、置換、変更されてもよい。
【０１１８】
例えば、加工装置１において研削加工されるウェハＷは、例えば支持ウェハが張り合わされた重合ウェハであってもよく、被処理ウェハとしてのウェハＷにはエッジトリム加工が施されていてもよい。かかる場合、支持ウェハに形成されたノッチ部により水平方向の位置合わせが行われ、また、当該支持ウェハのノッチ部に堆積する研削屑Ｄを洗浄装置により除去する。
【符号の説明】
【０１１９】
１        加工装置
３１      基板保持部
３１ａ    基板保持面
１４０    第１の外縁洗浄ユニット
１５０    第２の外縁洗浄ユニット
Ｗ        ウェハ
Ｗａ      表面
Ｗｂ      裏面
【図１】
2020153219.tif 000003
【図２】
2020153219.tif 000004
【図３】
2020153219.tif 000005
【図４】
2020153219.tif 000006
【図５】
2020153219.tif 000007
【図６】
2020153219.tif 000008
【図７】
2020153219.tif 000009
【図８】
2020153219.tif 000010
【図９】
2020153219.tif 000011
【図１０】
2020153219.tif 000012
【図１１】
2020153219.tif 000013
【図１２】
2020153219.tif 000014
【図１３】
2020153219.tif 000015
【図１４】
2020153219.tif 000016
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
基板を加工する加工装置であって、
前記基板を吸着保持する基板保持面を有する基板保持部と、
前記基板保持部の全面を洗浄する保持部全面洗浄部と、
前記基板保持面の外縁部を洗浄する外縁洗浄部を備え、
前記基板保持部は、前記基板の搬入出を行う搬入出領域と、前記基板の加工を行う加工領域と、の間で移動自在に構成され、
前記搬入出領域は、前記外縁洗浄部と前記保持部全面洗浄部と、を備える、加工装置。
【請求項２】
基板を加工する加工装置であって、
前記基板を吸着保持する基板保持面を有する基板保持部と、
前記基板の全面を洗浄する全面洗浄部と、
前記基板保持面の外縁部を洗浄する外縁洗浄部を備え、
前記基板保持部は、前記基板の搬入出を行う搬入出領域と、前記基板の加工を行う加工領域と、の間で移動自在に構成され、
前記搬入出領域は、前記外縁洗浄部と前記全面洗浄部と、を備える、加工装置。
【請求項３】
前記外縁洗浄部は、
前記基板保持部の上方に設けられ、少なくとも、前記外縁部に当接することにより洗浄を行う洗浄用ブラシ、または前記外縁部に流体を供給することにより洗浄を行うノズル、を備える、請求項１または２に記載の加工装置。
【請求項４】
基板を加工する加工装置であって、
前記基板を吸着保持する基板保持面を有する基板保持部と、
前記基板保持部に保持された前記基板に洗浄液を供給する洗浄液供給部と、
前記基板保持面の外縁部を洗浄する外縁洗浄部を備え、
前記基板保持部は、前記基板の搬入出を行う搬入出領域と、前記基板の加工を行う加工領域と、の間で移動自在に構成され、
前記加工領域は、洗浄液供給部と前記外縁洗浄部と、を備える、加工装置。
【請求項５】
前記外縁洗浄部は前記外縁部の径方向外側に設けられ、前記外縁部に流体を供給することにより洗浄を行うノズルを有する、請求項４に記載の加工装置。
【請求項６】
前記外縁洗浄部は、前記基板保持面の接線方向へ流体を供給する、請求項５に記載の加工装置。
【請求項７】
前記外縁洗浄部が複数設けられる、請求項５または６に記載の加工装置。
【請求項８】
前記基板の周縁部にはノッチが形成され、
前記基板保持面には、前記基板保持部に前記基板を保持した際に、平面視において前記ノッチと対応する位置に切欠きが形成される、請求項１〜７のいずれか一項に記載の加工装置。
【請求項９】
前記基板の周縁部にはノッチが形成され、
前記外縁洗浄部は、前記基板保持面の外縁部のうち前記ノッチに対応する部分の洗浄を行う、請求項１〜８のいずれか一項に記載の加工装置。
【請求項１０】
前記基板の円周方向の位置を調節する位置調節部と、
前記位置調節部の動作を制御する制御部と、を備え、
前記基板の周縁部にはノッチが形成され、
前記制御部は、複数の前記基板のうち、一の前記基板に形成された前記ノッチの位置と、次に加工される前記基板に形成された前記ノッチの位置とが、前記基板保持面において平面視で重ならないように、前記基板の円周方向の位置を制御する、請求項１〜７のいずれか一項に記載の加工装置。
【請求項１１】
基板を加工する加工方法であって、
基板保持部の基板保持面で前記基板を吸着保持した状態で前記基板を加工することと、
前記基板保持部に保持された前記基板が搬出された後、当該基板保持部の全面と前記基板保持面の外縁部とを洗浄することと、を含む、加工方法。
【請求項１２】
前記基板の周縁部にはノッチが形成され、
前記基板保持部は、平面視において前記基板保持面に形成された切欠きと前記ノッチとが対応するように、前記基板を保持する、請求項１１に記載の加工方法。
【請求項１３】
前記基板の周縁部にはノッチが形成され、
前記基板保持面の外縁部の洗浄においては、前記外縁部のうち前記ノッチに対応する部分の洗浄が行われる、請求項１１または１２に記載の加工方法。
【請求項１４】
前記基板の円周方向の位置を調節することを含み、
前記基板の周縁部にはノッチが形成され、
複数の前記基板に対してそれぞれ行われる前記加工において、前記ノッチが前記基板保持面において平面視でそれぞれ重ならないように、前記基板の円周方向の位置を調節する、請求項１１に記載の加工方法。
【手続補正２】
【補正対象書類名】明細書
【補正対象項目名】００１７
【補正方法】変更
【補正の内容】
【００１７】
しかしながら、例えば前記基板保持部３１の洗浄により洗浄しきれない研削屑Ｄ、特にノッチ部Ｗｎにおいて堆積した研削屑Ｄがある場合、図３（ａ）に示すように、後に加工を行うウェハＷが、堆積した研削屑Ｄの上に乗り上げてしまうおそれがある。そして、このように研削屑ＤにウェハＷが乗り上げた状態で研削加工が行われる場合、図３（ｂ）に示すように、ウェハＷの研削屑Ｄに乗り上げた部分の厚みが薄くなり、ＴＴＶ（Ｔｏｔａｌ  Ｔｈｉｃｋｎｅｓｓ  Ｖａｒｉａｔｉｏｎ）が悪化してしまうおそれがある。
【手続補正３】
【補正対象書類名】明細書
【補正対象項目名】００２５
【補正方法】変更
【補正の内容】
【００２５】
回転テーブル３０は、回転機構（図示せず）によって回転自在に構成されている。回転テーブル３０上には、ウェハＷを吸着保持する基板保持面３１ａを有する基板保持部３１が４つ設けられている。基板保持部３１は、回転テーブル３０の同一円周上に均等、すなわち９０度毎に配置されている。４つの基板保持部３１は、回転テーブル３０が回転することにより、受渡位置Ａ０および第１〜第３の加工位置Ａ１〜Ａ３に移動可能になっている。
【手続補正４】
【補正対象書類名】明細書
【補正対象項目名】０１０９
【補正方法】変更
【補正の内容】
【０１０９】
＜他の実施形態にかかる加工方法＞
なお、基板保持部３１に保持されるウェハＷの水平方向の向きを、処理するウェハＷの１枚毎に変更するように制御してもよい。
【手続補正５】
【補正対象書類名】図面
【補正対象項目名】図６
【補正方法】変更
【補正の内容】
【図６】
2020153219.tif 000017
【手続補正６】
【補正対象書類名】図面
【補正対象項目名】図１０
【補正方法】変更
【補正の内容】
【図１０】
2020153219.tif 000018
【手続補正７】
【補正対象書類名】図面
【補正対象項目名】図１３
【補正方法】変更
【補正の内容】
【図１３】
2020153219.tif 000019
【国際調査報告】
2020153219.tif 000020
2020153219.tif 000021
2020153219.tif 000022
2020153219.tif 000023
2020153219.tif 000024
2020153219.tif 000025